(57)【特許請求の範囲】
【請求項１】
各種表示を行う表示部と、
前記表示部が視認できるように設けられた表示窓を有する操作パネルと、
前記表示部を有する表示部素子を搭載し、前記操作パネルの内側に位置している電子基板と、
該電子基板に組み付けられ、前記表示部素子の外周を包囲し、前記表示部に対応する部位に開口部を有する表示部保持部材と、
該表示部保持部材の前記開口部の周囲に設けられた貼り付け面に、前記開口部を覆って貼り付けられ、前記電子基板に接続される接続部を有したタッチスイッチシートと、
前記表示部が視認できるように開口されたエスカッションと、を備え、
前記表示部保持部材は、
前記貼り付け面の周囲に設けられ、前記貼り付け面よりも一段高い面であり、前記エスカッションが貼り付けられるエスカッション配置面と、
前記エスカッション配置面の周囲に設けられ、前記操作パネルに前記操作パネルの裏面とシール部材を介して接する端面と、
前記エスカッション配置面に開口され、前記貼り付け面に隣接して設置される前記接続部を通すための配線穴と、を備え、
前記エスカッションは、
前記エスカッション配置面と前記タッチスイッチシートとに跨がって貼り付けられる、炊飯器。
【請求項２】
前記貼り付け面は、
前記操作パネルの表面をオフセットした形状である、請求項１に記載の炊飯器。
【請求項３】
前記貼り付け面は、
周囲の面に対して前記タッチスイッチシートの厚み分凹ませた面である、請求項１又は２に記載の炊飯器。
【請求項４】
前記タッチスイッチシートは、
フィルムに電極を印刷して構成され、前記電極の印刷面を前記操作パネル側に向けて前記表示部保持部材に貼り付けられている、請求項１〜３の何れか１項に記載の炊飯器。
【請求項５】
前記タッチスイッチシートは、
前記電極の前記印刷面と反対側の面に印刷糊が印刷されている、請求項４に記載の炊飯器。
【請求項６】
前記電子基板は、
機械接点式スイッチを備え、
前記表示部保持部材は、
前記機械接点式スイッチを押すための押し子を備える、請求項１〜５の何れか１項に記載の炊飯器。
【請求項７】
前記表示部は、
前記タッチスイッチシートが備えるタッチスイッチの真下の画面表示の内容を変更できる、請求項１〜６の何れか１項に記載の炊飯器。
【請求項８】
前記操作パネルは、
前記タッチスイッチシートに対向している部分の肉厚が薄くなっている、請求項１〜７の何れか１項に記載の炊飯器。
【発明の詳細な説明】
【技術分野】
【０００１】
本発明は、炊飯器に関し、特に表示部に設けられたタッチスイッチシートの設置構造に関する。
【背景技術】
【０００２】
従来、炊飯器の表示装置は、液晶表示部が設けられており、その周辺に複数のスイッチが設けられている。そのスイッチには機械式のスイッチだけでなく、タッチスイッチも使用されている。また、タッチスイッチは、バックライトを点灯することによりスイッチが浮かび上がるように構成されている。
【０００３】
特許文献１に開示されている技術においては、炊飯器の外観を構成する外観部品の裏面にタッチスイッチが設けられている。タッチスイッチは、その外観部品の裏面に両面テープで貼り付けられている。タッチスイッチは、タッチスイッチを構成するシートの一部が延び、電子基板に接続するための接続部が形成されている。電子基板は、炊飯器の本体側に取り付けられており、液晶表示素子を搭載している。外観を構成する外観部品の裏面にタッチスイッチが貼り付けられている場合、その外観部品を炊飯器本体側に取り付けるためには、外観部品に貼り付けられたタッチスイッチと本体側に設けられた電子基板とを接続してから、外観部品を本体側に取り付ける必要がある。タッチスイッチと電子基板とを接続可能にし、外観部品の本体側への組み付けを可能にするために、タッチスイッチの接続部は長く延ばされている。
【先行技術文献】
【特許文献】
【０００４】
【特許文献１】特許第４９１３６５５号公報
【発明の概要】
【発明が解決しようとする課題】
【０００５】
しかし、特許文献１に開示されている技術においては、タッチスイッチの接続部を長くしているが、タッチスイッチと電子基板との接続により外観部品の動きが制限される。外観部品の動きが制限されることにより、外観部品を本体側に取り付ける際の作業が困難であるという課題があった。また、タッチスイッチの接続部が長いため、外部からのノイズの影響を受けやすくなり、タッチスイッチの誤作動を生じ易くなるという課題があった。さらには、タッチスイッチの接続部が長くなると、接続部を収納するスペースが必要になり、炊飯器の内部の部品を削り空間を確保するか炊飯器を大型化する必要があり、タッチスイッチ自体も大きくなるためコストが上昇するという課題があった。
【０００６】
本発明は、上記のような課題を解決するためになされたものであり、外観部品の組立作業性を向上させ、簡易な組立が可能となる炊飯器を提供することを目的としている。また、タッチスイッチの誤作動を生じにくくすることにより、タッチスイッチの信頼性を確保しつつ、大型化することなく、コスト上昇も抑えることができる炊飯器を提供することを目的としている。
【課題を解決するための手段】
【０００７】
本発明に係る炊飯器は、各種表示を行う表示部と、前記表示部が視認できるように設けられた表示窓を有する操作パネルと、前記表示部を有する表示部素子を搭載し、前記操作パネルの内側に位置している電子基板と、該電子基板に組み付けられ、前記表示部素子の外周を包囲し、前記表示部に対応する部位に開口部を有する表示部保持部材と、該表示部保持部材の前記開口部の周囲に設けられた貼り付け面に、前記開口部を覆って貼り付けられ、前記電子基板に接続される接続部を有したタッチスイッチシートと、前記表示部が視認できるように開口されたエスカッションと、を備え、前記表示部保持部材は、前記貼り付け面の周囲に設けられ、前記貼り付け面よりも一段高い面であり、前記エスカッションが貼り付けられるエスカッション配置面と、前記エスカッション配置面の周囲に設けられ、前記操作パネルに前記操作パネルの裏面とシール部材を介して接する端面と、前記エスカッション配置面に開口され、前記貼り付け面に隣接して設置される前記接続部を通すための配線穴と、を備え、前記エスカッションは、前記エスカッション配置面と前記タッチスイッチシートとに跨がって貼り付けられるものである。
【発明の効果】
【０００８】
本発明に係る炊飯器によれば、タッチスイッチシートを内部構造である表示部保持部材に貼り付けることにより、タッチスイッチシートの接続部を長くすることなくタッチスイッチシートを組み付けることができる。また、外観を構成し、表示窓を備える操作パネルの組み付けも容易になる。組立が容易になるとともに、ノイズによる誤作動を抑制でき、タッチスイッチの作動の信頼性を確保でき、炊飯器の大型化もすることなく、コストを抑えた炊飯器を提供することができる。
【図面の簡単な説明】
【０００９】
【図１】本発明の実施の形態１に係る炊飯器の斜視図である。
【図２】図１の炊飯器の中央部の断面における構造の説明図である。
【図３】図１の蓋体を上面から表した図である。
【図４】図１の炊飯器の蓋体を分解した状態の斜視図である。
【図５】表示部ユニットを分解した状態の斜視図である。
【図６】図２の断面において、表示部ユニット周辺を拡大した図である。
【図７】図６のＢ部の拡大図である。
【発明を実施するための形態】
【００１０】
以下、本発明の実施の形態を図面に基づいて説明する。なお、以下に説明する実施の形態によって本発明が限定されるものではない。また、以下の図面では各構成部材の大きさの関係が実際のものとは異なる場合がある。符号に添え字（例えば「１０ａ」の「ａ」）が付されている場合、添え字が付されていない符号については、その添え字が付されたもの全体を指すものである。
【００１１】
実施の形態１．
図１は、本発明の実施の形態１に係る炊飯器１００の斜視図である。図２は、図１の炊飯器１００の中央部の断面における構造の説明図である。炊飯器１００は、本体９０と蓋体１０とから構成される。本体９０は、内部に内鍋９３が配置され、内鍋９３を熱するヒーター９４等が設けられている。蓋体１０は、本体９０の上部を覆う蓋であり、本体９０とヒンジ軸９２により接続され、開閉自在に取り付けられている。蓋体１０は、上面の操作パネル２０及び蓋筐体３０により構成されている。操作パネル２０と蓋筐体３０は、蓋体１０の外観を構成している。操作パネル２０は、蓋筐体３０の上面を覆って組み立てられており、蓋筐体３０の裏面側からビス３４により固定されている。操作パネル２０には、釦２１と、蓋体１０内部に配置されている表示部５３を視認するための表示窓２２とが設けられている。蓋筐体３０には、ヒンジ軸９２側に蒸気口３１が設けられている。本体９０には開閉釦９１が設けられている。開閉釦９１は、炊飯器１００の前面に設けられており、開閉釦９１の反対側、すなわち炊飯器１００の背面側に蓋体１０と本体９０とを接続するヒンジ軸９２が設けられている。開閉釦９１を押すと、蓋体１０が開き、炊飯器１００の本体９０の上部の開口が露出する。
【００１２】
図３は、図１の蓋体１０を上面から表した図である。表示窓２２は、操作パネル２０の中央部付近に設けられている。操作パネル２０は、樹脂により成形されており、表示窓２２の部分だけ透明になっており、内部の表示部５３が視認できるようになっている。表示部５３の外観面側にはタッチスイッチシート４０が配置され、表示部５３の全面を覆うようになっている。タッチスイッチシート４０を表示部５３の一部を覆うように構成した場合は、タッチスイッチシート４０の端が視認できる位置にくる。そのため、タッチスイッチシート４０は、表示部５３の全面を覆うように構成するのが外観としては好ましい。タッチスイッチシート４０は透明であり、内部の表示部５３の全面を覆っていても視認するのを妨げないようになっている。さらにタッチスイッチシート４０の外観面側には中央部に開口を有するシート状のエスカッション７０が配置されている。エスカッション７０は、表示部５３の外周側の領域を覆い、内部構造等が外から見えないように隠している。タッチスイッチシート４０の炊飯器１００前面側の端にはタッチスイッチ４１が４箇所設けられている。図３において表示されている、丸印がタッチスイッチの中央を示している。この丸印は実物においては表示部５３を視認するのを妨げないようになっている。点線でスイッチが設けられている領域、二点鎖線で表示部５３を覆っている領域を表しているが、実物においては見えないように構成されている。
【００１３】
また、図３の下側、つまり操作パネル２０において炊飯器１００の前面側の領域には３つの釦２１が設けられている。釦２１は、外観面側から蓋体１０の内部へ向かってストロークするようになっており、内部の機械接点式スイッチ５４（図５を参照）を押せるようになっている。蓋筐体３０には、蒸気口３１が設けられている。炊飯器１００の内部で生じた蒸気を蒸気口３１から逃がすように構成されている。
【００１４】
図４は、図１の炊飯器１００の蓋体１０を分解した状態の斜視図である。蓋体１０は、蓋筐体３０を上部から見ると凹んだ空間が形成されており、その空間は表示部ユニット５０が配置される収納部３５となっている。表示部ユニット５０が収納された状態で、操作パネル２０を蓋筐体３０の上から被せる構造になっている。表示部ユニット５０及び操作パネル２０は、蓋筐体３０にビスなどにより固定される。そのため、電子基板５２は、蓋筐体３０の収納部３５に納めた際の位置決めとなる位置決め穴５７と、ビスにより電子基板５２を固定するための穴５８が設けられている。収納部３５の内部には、位置決めピン３２とネジ穴３３とが設けられている。
【００１５】
図５は、表示部ユニット５０を分解した状態の斜視図である。表示部ユニット５０は、表示部基板モジュール５１と表示部保持部材６０とタッチスイッチシート４０と中央部に開口７５を有するエスカッション７０を組み立てて構成される。組み立てられた表示部ユニット５０は、位置決め穴５７により位置決めされ、穴５８でビスにより蓋筐体３０に固定されることになる。表示部基板モジュール５１は、電子基板５２の上に表示部素子５５、機械接点式スイッチ５４及びコネクタ５６が搭載されている。実施の形態１において、表示部素子５５は、フルドット液晶ディスプレイであるが、文字、記号、映像等を表示できればその他の表示装置、例えば有機ＥＬディスプレイなどを使用しても良い。
【００１６】
表示部ユニット５０において、表示部素子５５の上には表示部保持部材６０が配置されており、表示部素子５５の外周を包囲している。表示部保持部材６０のうち、表示部素子５５の表示部５３の上部にあたる、表示部対応部分は開口部６５になっており、表示部５３が視認可能になっている。表示部保持部材６０は、操作パネル２０の裏面に接する端面６１が当該表示部保持部材６０の上面の外周部に沿って設けられている。端面６１の内側部分は１段低い面が設けられており、この面は後述するエスカッション７０が配置されるエスカッション配置面６８となっている。エスカッション配置面６８も、表示部保持部材６０の外周部に沿って設けられている。また、その内側はタッチスイッチシート４０が貼り付けられる貼り付け面６２が設けられている。エスカッション配置面６８には貼り付け面６２と接続する細い長方形の穴が開けられており、貼り付け面６２に貼られたタッチスイッチシート４０の接続部４２を通すための配線穴６７となっている。接続部４２は、タッチスイッチシート４０の一部であり、タッチスイッチシート４０と電子基板５２とを電気的に接続する配線が通る部分である。実施の形態１において、接続部４２は、タッチスイッチシート４０の側部から延びる幅の狭いフィルム部分である。なお、接続部４２は、タッチスイッチシート４０を構成するフィルムにより構成されるものに限られず、例えばリード線をタッチスイッチシート４０に接続する構成であってもよい。配線穴６７は、貼り付け面６２と隣接して設置されているため、接続部４２は、段差などを乗り越える必要がなく、タッチスイッチシート４０の他の面と同じ高さのまま配線穴６７に這わせて表示部保持部材６０の外に出すことができる。
【００１７】
表示部保持部材６０は、電子基板５２の表面に接する支持部６４を有し、端面６１側から入る荷重は、電子基板５２の表面で受ける構造になっている。また、表示部保持部材６０は、電子基板５２に設けられた穴に引っ掛ける爪部６３を備え、電子基板５２上から容易に外れないように組み付けられている。
【００１８】
表示部保持部材６０は、電子基板５２上に搭載されている機械接点式スイッチ５４を押すための押し子６６が一体となって形成されている。押し子６６は、表示部保持部材６０の側面に細い腕により接続されており、釦を押す方向に対して弾性を有する。押し子６６は、表示部保持部材６０が表示部基板モジュール５１上に組み付けられた時には、機械接点式スイッチ５４の真上に位置するように形成されている。
【００１９】
タッチスイッチシート４０は、アクリルフィルムやＰＥＴフィルムなどのフィルムにより構成され、図５における表側の面に電極が印刷されており、配線は電極から出て接続部４２を通り外部と接続するようになっている。電極がタッチスイッチシート４０の表側に印刷されていることにより、タッチスイッチシート４０の厚みの分だけ電極が表示部５３から距離が離れるため、表示部５３から放射されている電磁波の影響などによるタッチスイッチ４１の誤動作を抑えることができる。接続部４２は、電子基板５２上のコネクタ５６に接続される。電極は、タッチスイッチ４１に印刷されている。タッチスイッチ４１で検知された信号は、接続部４２から電子基板５２に送られる。また、タッチスイッチシート４０の裏面は、印刷糊が印刷されている。タッチスイッチシート４０は、その印刷糊により表示部保持部材６０の貼り付け面６２に貼り付けられている。
【００２０】
図６は、図２の断面において、表示部ユニット５０周辺を拡大した図である。図７は、図６のＢ部の拡大図である。図６において、炊飯器１００の蓋体１０の上面の外観を構成する操作パネル２０は、外観側に凸した曲面となっている。実施の形態１において操作パネル２０は、例えば樹脂成形により成型されており、ユーザーが指でタッチスイッチ４１の上の外観面を押した時に、内側に凹まないように外側に凸の曲面に成型されている。また、操作パネル２０を曲面形状にすることにより、樹脂成形時の反り方向を一方向にし、成型後の寸法を安定的に確保することができる。
【００２１】
操作パネル２０の蓋体１０の内部側の面は、表示部保持部材６０の上側の端面６１とシール部材２３を介して接触している。実施の形態１においては、シール部材２３の材質は、例えばゴムであるが、これに限定されず、例えばスポンジなどの弾力があり隙間を埋めて空気が通過しにくい材質であれば良い。なお、表示部保持部材６０の上側の端面６１と操作パネル２０との接触部に隙間が生じない、空気が通過しにくい構成になっていれば、シール部材２３を省略することも可能である。また、端面６１の内側には一段下げられたエスカッション配置面６８が設けられ、さらに内側にはエスカッション配置面６８に対しタッチスイッチシート４０の厚み分だけ一段下げられた貼り付け面６２が設けられている。貼り付け面６２にはタッチスイッチシート４０が貼り付けられ、タッチスイッチシート４０とエスカッション配置面６８とにより形成される面にエスカッション７０が貼り付けられる。エスカッション配置面６８と貼り付け面６２とは、タッチスイッチシート４０の厚み分下げられている。しかし、厳密にタッチスイッチシート４０の厚み分下げられている必要はない。エスカッション７０がゆがんでエスカッション配置面６８に貼り付けられたり、エスカッション７０とタッチスイッチシート４０との間及びエスカッション７０とエスカッション配置面６８との間に隙間が生じないような寸法関係であれば良い。
【００２２】
エスカッション７０は、タッチスイッチシート４０とエスカッション配置面６８とにまたがって貼り付けられるため、エスカッション配置面６８に設けられた配線穴６７を塞ぐことができる。この構造により、表示部保持部材６０とシール部材２３と操作パネル２０の裏面とタッチスイッチシート４０とエスカッション７０とにより囲まれた空間２４は、密閉された空間になっている。よって、空間２４には湿度の高い空気が侵入することがない。炊飯器１００を使用して内部から蒸気が発生しても、表示窓２２の内部には侵入することが無く、表示窓２２が曇って表示部５３が視認しにくくなるようなことが無い。なお、図６及び図７に示される範囲Ａは、操作パネル２０が透明にされている部分である。少なくとも範囲Ａが透明になっていることにより、内部の表示部５３が視認できるようになっている。範囲Ａは、図６及び図７に示されるよりも大きく設定してもよい。範囲Ａが大きい場合は、エスカッション７０が表示窓２２から見える。エスカッション７０は、内部の構造部品を隠し、外観を良くすることができる。すなわち、エスカッション７０は、表示窓２２の内部の空間のシールをするとともに、装飾としての役割を持つ。
【００２３】
実施の形態１において、貼り付け面６２は、操作パネル２０の外観面が形成する曲面上又は平面上の各点を、その各点において接する平面に垂直な方向にある一定距離移動した点の集合により形成される面となっている。すなわち、貼り付け面６２は、操作パネル２０の外観面を内側にオフセットした形状になっている。これによりタッチスイッチシート４０は、操作するユーザーが触れる外観面からタッチスイッチ４１までの距離が一定に保たれるため、タッチスイッチ４１の検知する静電容量の変化が一定になり、タッチスイッチ４１の操作性が安定するという効果が得られる。また、タッチスイッチシート４０の表面から操作パネル２０の裏面までは距離Ｃが設けられている。距離Ｃの空間は、実施の形態１においては１ｍｍ以下の隙間であり、少なくともエスカッション７０の厚み以上の隙間である。ただし、エスカッション７０及びエスカッション７０を貼り付ける粘着材の少なくともどちらか一方が弾力性のある材料である場合には、距離Ｃはエスカッション７０の厚み以下の寸法でも良い場合がある。距離Ｃがエスカッション７０及び粘着材の厚みより小さく、エスカッション７０及び粘着材がつぶされることにより生ずる弾性が、少なくともシール部材２３と表示部保持部材６０の端面６１との接触を妨げない程度であれば、距離Ｃはエスカッション７０の厚み以下の寸法でも良い。なお、距離Ｃは、例えばタッチスイッチシート４０と操作パネル２０の裏面とが接触している場合のように小さすぎると、静電容量の変化が安定せずタッチスイッチ４１の操作感度が安定しない。また、距離Ｃが大きすぎてもタッチスイッチ４１の反応が悪くなる。よって、実施の形態１においては１ｍｍ程度の寸法が望ましいが、タッチスイッチ４１の仕様、操作パネル２０の厚み、及び操作パネル２０の材質などによって適宜変更することができる。
【００２４】
また、タッチスイッチシート４０は、表示部保持部材６０の貼り付け面６２に貼り付けられているが、表示部５３とは距離Ｄだけ離して配置されている。実施の形態１においては、距離Ｄは、例えば１ｍｍ以上の隙間となっている。タッチスイッチシート４０を表示部素子５５から所定の距離だけ離すことにより、表示部素子５５から放射される電磁波によりタッチスイッチ４１が誤動作するのを防止することができる。また、タッチスイッチシート４０は、表示部５３と離した方が、表示部素子５５から放射される電磁波の影響を小さくすることができるが、離しすぎると、タッチスイッチシート４０から表示部５３までの間の内部構造が外部から見えやすくなる。よって、距離Ｄの上限は、表示窓２２やエスカッション７０等の各部の寸法に応じ適宜決定されるものである。
【００２５】
また、実施の形態１においては、表示部保持部材６０の端面６１を含めた内側部分に対向する部分の操作パネル２０の裏面は、その外側部分と比較して肉厚が薄くされている。外側部分とは、表示部保持部材６０の端面６１を含めた内側部分と対向する操作パネル２０の裏面の部分に対し、その周囲の領域のことを指す。この構成により、ユーザーが触れる操作パネル２０の外観面からタッチスイッチシート４０までの距離が上記の外側部分と比較して近くなるので、ユーザーが触れる操作パネル２０の外観面から、電極が印刷されるタッチスイッチシート４０の表側の面までの静電容量が大きくなる。タッチスイッチ４１の検知方式は、例えば、浮遊容量を有する電極に対し自己キャパシタンス方式とする。この電極は周囲の導電気体との間にある寄生容量の影響を受ける。電極の上方の操作パネル２０の外観面にユーザの指が近づくと浮遊容量の値が増加する。ユーザーが触れる操作パネル２０の外観面からタッチスイッチシート４０の表側の面までの静電容量が大きい場合、ユーザーの指が操作パネル２０の外観面に触れたときと触れないときの電極の浮遊容量の変化が大きくなる。これにより、ユーザーがタッチスイッチ４１の上の外観面に触れた時の静電容量の変化を検知しやすくなるため、操作感が向上する効果が得られる。
【００２６】
（タッチスイッチの動作）
タッチスイッチ４１は、表示部５３に表示される内容により、タッチスイッチ４１のそれぞれに割り当てられる機能を変えて使用することができる。例えば、タッチスイッチ４１ａの真下の表示部に「炊飯メニュー」という文字を表示させた時は、そのタッチスイッチ４１の上の外観面に触れると画面に炊飯メニューが表示される。この時、タッチスイッチ４１ｂの真下の表示部には上向きの矢印を表示させ、タッチスイッチ４１ｃの真下の表示部には下向きの矢印を表示させる。ユーザーはタッチスイッチ４１ｂ又はタッチスイッチ４１ｃの上の外観面に指で触れることにより、炊飯メニューを選択することができる。そして、タッチスイッチ４１ａの真下の表示部には「戻る」という文字を表示させてあり、またタッチスイッチ４１ｄの真下の表示部には「決定」という文字を表示させてある。タッチスイッチ４１ａの上の外観面に触れると前の画面に戻ることになり、再度タッチスイッチ４１ａの真下の表示部には「炊飯メニュー」の文字が表示される。また、タッチスイッチ４１ｄの上の外観面に触れた場合は、選択した炊飯メニューを決定することができ、表示部５３は次の画面に遷移し、タッチスイッチ４１ａ〜４１ｄの真下の表示も次の画面の内容に応じた表示に変わる。
【００２７】
なお、タッチスイッチ４１で操作するのは、上記のようにメニューの選択などであり、炊飯器１００の運転スタート及び運転停止については、炊飯器１００の誤動作防止の観点から釦２１に割り当てることが望ましい。だが、タッチスイッチ４１により表示部５３に表示される内容を変更することにより、少ないタッチスイッチ４１に多くの機能を割り当てることができる。このため、機械接点式スイッチ５４のみで炊飯器１００の操作パネルを構成した場合と比較して、スイッチの数を少なくすることができるためユーザーも使いやすくなり、スイッチの配置スペースも小さくでき、ひいてはコストも減らすことが可能である。
【００２８】
（蓋体１０の組立）
ここで、図４及び図５を使用して蓋体１０の組立について説明する。まず、図５に示される表示部ユニット５０を組み立てる。まず、表示部保持部材６０の貼り付け面６２の上にタッチスイッチシート４０を貼り付ける。タッチスイッチシート４０を貼り付け面６２に貼り付ける際に接続部４２は、配線穴６７を通し、表示部保持部材６０の側方に出しておく。その後、タッチスイッチシート４０の上からエスカッション７０を貼り付ける。エスカッション７０は、エスカッション配置面６８に合わせて貼り付けられ、エスカッション配置面６８とタッチスイッチシート４０とにまたがって貼り付けられる。表示部保持部材６０とタッチスイッチシート４０とエスカッション７０とを組み立てた後にその組み立てたものを表示部基板モジュール５１に取り付け、爪部６３を電子基板５２に開けられた穴に係合させ、表示部保持部材６０を固定する。表示部保持部材６０を表示部基板モジュール５１に固定した後に、タッチスイッチシート４０の接続部４２をコネクタ５６に差し込む。タッチスイッチシート４０が表示部ユニット５０として組み上がった状態で接続部４２をコネクタ５６に差し込むことができるので、接続部４２の長さは、コネクタ５６に差し込むことができる程度の余裕があれば良い。接続部４２を短くできることにより、表示部５３等から放射される電磁波の影響による誤作動を抑えることができる。
【００２９】
表示部ユニット５０が組み上がったら、表示部ユニット５０を蓋筐体３０にくりぬかれた収納部３５に納める。収納部３５には、位置決めピン３２及びネジ穴３３が備えられている。電子基板５２に開けられた位置決め穴５７に位置決めピン３２に差し込むように表示部ユニット５０を収納部３５に納める。表示部ユニット５０が所定の位置に納まったら、電子基板５２に開けられた穴５８にネジを通し、ネジ穴３３に螺合させ、表示部ユニット５０を蓋筐体３０内に固定する。表示部ユニット５０が固定されたら、図示されていない他の制御基板等との接続作業を行う。
【００３０】
表示部ユニット５０を蓋筐体３０内に組み付けたら、操作パネル２０を蓋筐体３０の上面に被せる。操作パネル２０は、図２に示されるように、蓋筐体３０の裏側からビス３４で固定するようになっている。以上の手順で蓋体１０は組み立てられる。
【００３１】
（効果）
実施の形態１の炊飯器１００は、各種表示を行う表示部５３と、表示部５３が視認できるように設けられた表示窓２２を有する操作パネル２０と、表示部５３を有する表示部素子５５を搭載し、操作パネル２０の内側に設けられている電子基板５２と、電子基板５２に組み付けられ、表示部素子５５の外周を包囲し、表示部５３に対応する部位に開口部６５を有する表示部保持部材６０と、表示部保持部材６０の外観面側にある貼り付け面６２に開口部６５を覆って貼り付けられ、電子基板５２に接続部４２が接続されるタッチスイッチシート４０と、を備える。このような構成にすることにより、タッチスイッチシート４０を内部構造である表示部保持部材６０に貼り付けることができ、接続部４２を長くすることなくタッチスイッチシート４０を表示窓２２の裏面に配置させることができる。タッチスイッチシート４０が表示部保持部材６０に貼り付けられることにより、外観面と表示窓２２とを備える操作パネル２０の組み付けも容易になる。また、接続部４２を長くする必要がないため、タッチスイッチ４１のノイズによる誤作動を抑制でき、タッチスイッチ４１の作動の信頼性を確保できる。さらに、接続部４２を納めるスペースも小さくできることから、炊飯器１００の大型化もすることなく、コストを抑えた炊飯器１００を提供することができる。
【００３２】
また、実施の形態１の炊飯器１００においては、表示部保持部材６０は、操作パネル２０に対向する端面６１が操作パネル２０の裏面と接している。このような構成にすることにより、組立が容易になるとともに、内部の表示部ユニット５０の収納部３５をシールする構造も可能となるため、表示部５３の周辺に蒸気が侵入して表示部５３の視認性が妨げられることを防止できる。
【００３３】
また、実施の形態１の炊飯器１００においては、操作パネル２０と表示部保持部材６０の端面６１とは、シール部材２３を介して接している。このような構成にすることにより、エスカッション７０と操作パネル２０の裏面と表示部保持部材６０とタッチスイッチシート４０とにより囲まれる空間の密閉性を高めることができ、蒸気の侵入などにより表示窓２２がくもり表示部５３の視認性が低下するのを防止することができる。
【００３４】
また、実施の形態１の炊飯器１００においては、貼り付け面６２は、操作パネル２０の表面をオフセットした形状である。このような構成にすることにより、タッチスイッチシート４０と操作パネル２０の外観面との距離を一定にすることができる。これにより、操作パネル２０の外観面にユーザーが触れた時のタッチスイッチ４１の静電容量の変化が一定になり、タッチスイッチ４１の操作性が安定する。
【００３５】
また、実施の形態１の炊飯器１００においては、貼り付け面６２は、周囲の面に対してタッチスイッチシート４０の厚み分凹ませた面である。このような構成にすることにより、タッチスイッチシート４０を操作パネル２０に接触させることなく配置することができ、タッチスイッチシート４０と操作パネル２０の裏面との間に適度な空間２４を持つことができるため、タッチスイッチ４１の上の外観面に触れた時の操作感度が安定する。また、表示部保持部材６０と操作パネル２０の裏面との間でシール構造をとり、表示窓２２の内部側を密閉することも可能となり、空間２４に蒸気が侵入して表示部５３の視認性が低下するのを防止できる。
【００３６】
また、実施の形態１の炊飯器１００においては、タッチスイッチシート４０は、フィルムに電極を印刷して構成され、電極の印刷面を操作パネル２０側に向けて表示部保持部材６０に貼り付けられる。このような構成にすることにより、操作パネル２０の外観面とタッチスイッチ４１の電極との距離を近づけつつ、表示部５３とタッチスイッチ４１の電極との距離を離す構成にできる。そのため、タッチスイッチ４１の上の外観面に触れた時の操作感度を良くするとともに、表示部５３の放射する電磁波の影響によりタッチスイッチ４１が誤作動するのを抑えることができる。
【００３７】
また、実施の形態１の炊飯器１００においては、タッチスイッチシート４０は、電極の印刷面と反対側の面に印刷糊が印刷されている。このような構成にすることにより、タッチスイッチシート４０を表示部保持部材６０に貼り付けるための糊を一体化することができ、タッチスイッチシート４０の糊を含めた厚みを薄くすることができ、貼り付け作業も容易になる。
【００３８】
また、実施の形態１の炊飯器１００においては、更に表示部５３が視認できるように開口７５を有するエスカッションを備え、エスカッション７０は、タッチスイッチシート４０の外縁側の領域を全周にわたって覆い貼り付けられる。このような構成にすることにより、内部構造やタッチスイッチシート４０の端面等を表示窓２２から見えないように隠すことができる。また、エスカッション７０をタッチスイッチシート４０に貼り付けることにより、表示窓２２の裏側の領域を密閉することができ、蒸気の侵入などにより表示窓２２がくもり表示部５３の視認性が低下するのを防止することができる。
【００３９】
また、実施の形態１の炊飯器１００においては、タッチスイッチシート４０は、電子基板５２に接続し、電極が検知した信号を電子基板５２に送るための接続部４２を備える。表示部保持部材６０は、貼り付け面６２に隣接して設置される接続部４２を通すための配線穴６７を備え、エスカッション７０は、配線穴６７を塞ぎ、操作パネル２０の裏面と表示部保持部材６０とタッチスイッチシート４０とにより囲まれる空間を密閉する。このような構成にすることにより、タッチスイッチシート４０を電子基板５２に接続するため、接続部を長くする必要がなく、ノイズ等によるタッチスイッチ４１の誤動作を防止することができる。また、エスカッション７０が配線穴６７を塞ぐことにより、表示窓２２の裏側の領域を密閉することができ、蒸気の侵入などにより表示窓２２がくもり表示部５３の視認性が低下するのを防止することができる。
【００４０】
また、実施の形態１の炊飯器１００においては、電子基板５２は、機械接点式スイッチ５４を備え、表示部保持部材６０は、機械接点式スイッチ５４を押すための押し子６６を備える。このような構成にすることにより、タッチスイッチ４１と機械接点式スイッチ５４とを併用することにより、スイッチの用途により使い分けをすることができ、炊飯器１００の操作性及び信頼性が向上する。また、機械接点式スイッチ５４の押し子６６を表示部保持部材６０に一体に設けることにより部品点数が減り、コストが低減する。
【００４１】
また、実施の形態１の炊飯器１００においては、表示部５３は、タッチスイッチシート４０が備えるタッチスイッチ４１の真下の画面表示の内容を変更できる。このような構成にすることにより、タッチスイッチ４１ａ〜４１ｄに多くの機能を割り当てることができ、機械接点式スイッチ５４の数を最小限にすることができる。また、炊飯器１００のコストが低減する。
【００４２】
また、実施の形態１の炊飯器１００においては、操作パネル２０は、タッチスイッチシート４０に対向している部分の肉厚が薄くなっている。このような構成にすることにより、操作パネル２０の外観面からタッチスイッチ４１の電極面を近づけることができ、タッチスイッチ４１の上の外観面に触れた時の操作感度が向上する。
【００４３】
なお、実施の形態１は、表示部保持部材６０にタッチスイッチシート４０を貼り付けるように構成したが、表示部保持部材６０の代わりに嵩上げ用のスペーサ（図示せず）を用いてもよい。つまり、表示部５３の外側、つまり表示部５３を操作パネル２０側から見た場合に、表示部素子５５の外周より外側の位置の電子基板５２の上にスペーサを配置する。そして、例えば、電子基板５２の上に配置されたスペーサの操作パネル２０側の面に設けられた貼り付け面にタッチスイッチシート４０を貼り付ける。さらに、貼り付け面の周囲にあるスペーサの外縁部の操作パネル２０に対向する端面が、操作パネル２０の裏面と接するように構成してもよい。又は、操作パネル２０とスペーサの端面とは、シール部材２３を介して接するように構成してもよい。
【００４４】
つまり、上記の炊飯器１００は、各種表示を行う表示部５３と、表示部５３が視認できるように設けられた表示窓２２を有する操作パネル２０と、表示部５３を有する表示部素子５５を搭載し、操作パネル２０の内側に位置している電子基板５２と、電子基板５２に組み付けられ、表示部５３の外側に配置されるスペーサと、スペーサの貼り付け面に貼り付けられ、電子基板５２に接続される接続部４２を有したタッチスイッチシート４０と、を備える。また、この炊飯器１００において、スペーサは、操作パネル２０に対向する端面が操作パネル２０の裏面と接している。さらに、この炊飯器１００において、操作パネル２０とスペーサの端面とは、シール部材２３を介して接している。このように構成することにより、例えば、表示部５３のサイズが小さく、表示部５３に重ねてタッチスイッチシート４０を配置することが困難な場合にもタッチスイッチシート４０を配置でき、タッチスイッチシート４０を配置する自由度を増すことができる。また、タッチスイッチシート４０の接続部４２を長くすることなくタッチスイッチシート４０を組み付けることができる。
【符号の説明】
【００４５】
１０  蓋体、２０  操作パネル、２１  釦、２２  表示窓、２３  シール部材、２４  空間、３０  蓋筐体、３１  蒸気口、３２  位置決めピン、３３  ネジ穴、３４  ビス、３５  収納部、４０  タッチスイッチシート、４１  タッチスイッチ、４１ａ  タッチスイッチ、４１ｂ  タッチスイッチ、４１ｃ  タッチスイッチ、４１ｄ  タッチスイッチ、４２  接続部、５０  表示部ユニット、５１  表示部基板モジュール、５２  電子基板、５３  表示部、５４  機械接点式スイッチ、５５  表示部素子、５６  コネクタ、５７  位置決め穴、５８  穴、６０  表示部保持部材、６１  端面、６２  貼り付け面、６３  爪部、６４  支持部、６５  開口部、６６  押し子、６７  配線穴、６８  エスカッション配置面、７０  エスカッション、７５  開口、９０  本体、９１  開閉釦、９２  ヒンジ軸、９３  内鍋、９４  ヒーター、１００  炊飯器、Ａ  （表示窓の）範囲、Ｃ  （タッチスイッチシートから操作パネル裏面までの）距離、Ｄ  （タッチスイッチシートから表示部素子までの）距離。
【図１】
0006482439.tif 000002
【図２】
0006482439.tif 000003
【図３】
0006482439.tif 000004
【図４】
0006482439.tif 000005
【図５】
0006482439.tif 000006
【図６】
0006482439.tif 000007
【図７】
0006482439.tif 000008